(57)【特許請求の範囲】
【請求項１】
ペン先と、インキが直に貯溜するインキタンクと、前記ペン先と前記インキタンクとの間に配置され、該インキタンク内の圧力上昇に応じた溢出インキを一時的に保持するインキ保溜部材と、前記インキ保溜部材を前部に設けた軸筒とを備え、前記インキ保溜部材が、多数の櫛歯を適宜間隔に並設して形成されるインキ保溜溝と、前記インキ保溜溝と連通する軸方向に延びるスリット状のインキ誘導溝と、前記櫛歯群が軸筒内壁とは非嵌合状態が維持され、前記櫛歯群の最後部に位置する鍔部に設けられる、前記インキ誘導溝に接続し且つ前記インキタンク側に開口する軸方向に延びるスリット状の連通溝とを備え、前記インキ保溜部材を軸筒前部に装着させた際、前記軸筒内壁による前記鍔部の径方向内方への縮径変形によって、前記連通溝の溝幅が前記インキ誘導溝の溝幅より小に形成されてなる直液式筆記具であって、前記鍔部の外周面に、径方向外方に開口する凹部を形成し、前記凹部が、前記連通溝及び前記インキタンクに非連通であり、且つ、前記凹部が、前記鍔部の外周面の連通溝を挟む両側の位置に配置され、前記鍔部と、前記櫛歯群の後端に位置する後端櫛歯とは、前記連通溝近傍において連結壁部により連結され、前記凹部が、前記後端櫛歯と前記鍔部との非連結部を通して、インキ保溜部材のインキ保溜溝を有する軸筒の前部空間に連通されたことを特徴とする直液式筆記具。
【請求項２】
前記凹部を鍔部の外周面の前部に設けた請求項１記載の直液式筆記具。
【請求項３】
前記凹部が、鍔部の外周面の連通溝を有する側に形成され、且つ、前記凹部が、前記連通溝を有しない側の鍔部外周面には形成されない請求項１または２記載の直液式筆記具。
【請求項４】
前記凹部の径方向の深さが、前記インキ保溜溝の径方向の深さと略等しい請求項１乃至３の何れかに記載の直液式筆記具。
【発明の詳細な説明】
【技術分野】
【０００１】
本発明は、直液式筆記具に関する。
【背景技術】
【０００２】
従来、特許文献１には、インキタンク内の圧力変化に応じた溢出インキを一時的に溜めるインキ調節部材を、軸筒の前部に装着し、前記インキ調節部材が、複数の櫛歯間に形成したインキ保溜溝と、前記インキ保溜溝に連通する軸方向のインキ誘導溝と、櫛歯群の最後部に位置する鍔部に設けたインキタンク側に開口するスリット状の連通溝とを備え、前記インキ調節部材を、軸筒に装着した際に、前記連通溝の溝幅が小さく変形される直液式筆記具が知られている。前記従来の直液式筆記具おいて、前記連通溝は、インキタンクとインキ調節部材との間でインキの出入りさせるためのインキ導入導出孔としての機能と、インキタンク内の減圧時、インキタンク内に空気を取り入れる空気交替孔として機能を兼ね備える。
【先行技術文献】
【特許文献】
【０００３】
【特許文献１】特公平７−１１０５６０号公報
【発明の概要】
【発明が解決しようとする課題】
【０００４】
前記特許文献１の直液式筆記具は、連通溝の毛細管力を効果的に強めることができ、十分な連通溝の機能を満足できるものであるが、以下の点で改善の余地があった。
【０００５】
前記特許文献１の直液式筆記具は、インキ調節部材（本願のインキ保溜部材）は一般に合成樹脂の成形体により得られ、鍔部が他の櫛歯に比べ厚肉であるため、鍔部に形成される連通溝の内面にヒケが発生する可能性がある。前記連通孔の内面にヒケが発生すると、連通溝の適正な毛細管力が得られず、連通孔の適正な機能（即ち、インキ導入導出機能および空気交替機能）が得られないおそれがある。
【０００６】
本発明は、前記従来の問題点を解決するものであって、連通溝の内面にヒケが発生することを抑えるとともに、インキ保溜部材を軸筒に装着した際に連通溝の溝幅を確実に小さく変形させることができる直液式筆記具を提供しようとするものである。
【０００７】
尚、本発明において、「前」とはペン先側を指し、「後」とはその反対側を指す。
【課題を解決するための手段】
【０００８】
本願の第１の発明は、ペン先３と、インキ直に貯溜するインキタンク４と、前記ペン先３と前記インキタンク４との間に配置され、該インキタンク４内の圧力上昇に応じた溢出インキを一時的に保持するインキ保溜部材５と、前記インキ保溜部材５を前部に設けた軸筒２とを備え、前記インキ保溜部材５が、多数の櫛歯５２を適宜間隔に並設して形成されるインキ保溜溝５２ａと、前記インキ保溜溝５２ａと連通する軸方向に延びるスリット状のインキ誘導溝５２ｂと、前記櫛歯群の最後部に位置する鍔部５３に設けられる、前記インキ誘導溝５２ｂに接続し且つ前記インキタンク４側に開口する軸方向に延びるスリット状の連通溝５３ａとを備え、前記インキ保溜部材５を軸筒２前部に装着させた際、前記軸筒２内壁による前記鍔部５３の径方向内方への縮径変形によって、前記連通溝５３ａの溝幅が前記インキ誘導溝５２ｂの溝幅より小に形成されてなる直液式筆記具であって、前記鍔部５３の外周面に、径方向外方に開口する凹部５３ｂを形成し、前記凹部５３ｂが、前記連通溝５３ａ及び前記インキタンク４に非連通であり、且つ、前記凹部５３ｂが、前記鍔部５３の外周面の連通溝５３ａを挟む両側の位置に配置されることを要件とする。
【０００９】
本願の第１の発明の直液式筆記具１は、前記鍔部５３の外周面に、径方向外方に開口する凹部５３ｂを形成し、前記凹部５３ｂが、前記連通溝５３ａ及び前記インキタンク４に非連通であり、且つ、前記凹部５３ｂが、前記鍔部５３の外周面の連通溝５３ａを挟む両側の位置に配置されることにより、連通溝５３ａの内面にヒケが発生することを抑えるとともに、インキ保溜部材５を軸筒２に装着した際に連通溝５３ａの溝幅を確実に小さく変形させることができる。特に、凹部５３ｂが連通溝５３ａ及びインキタンク４と非連通であることにより、鍔部５３の外周面に軸筒２内面との適正な嵌合部分を残し、鍔部５３が軸筒２内壁によって適正に縮径され、鍔部５３に適正な溝幅の連通溝５３ａを形成できる。
【００１０】
本願の第２の発明は、前記第１の発明の直液式筆記具１において、前記凹部５３ｂを鍔部５３の外周面の前部に設け、前記凹部５３ｂがインキ保溜部材５のインキ保溜溝５２ａを有する軸筒２前部空間に連通してなることを要件とする。
【００１１】
前記第２の発明の直液式筆記具１は、前記凹部５３ｂを鍔部５３の外周面の前部に設け、前記凹部５３ｂがインキ保溜部材５のインキ保溜溝５２ａを有する軸筒２前部空間に連通してなることにより、一層、連通溝５３ａの内面にヒケが発生することを抑止できる。仮に、鍔部５３の前端と後端の間の中間部に凹部を設け、前記鍔部に設けた凹部が軸筒前部空間に連通しない構成の場合、連通溝５３ａの前端部内面にヒケが発生するおそれがある。
【００１２】
本願の第３の発明は、前記第１または第２の発明の直液式筆記具１において、前記凹部５３ｂが、鍔部５３の外周面の連通溝５３ａを有する側に形成され、且つ、前記凹部５３ｂが、前記連通溝５３ａを有しない側の鍔部５３外周面には形成されないことを要件とする。
【００１３】
前記第３の発明の直液式筆記具１は、前記凹部５３ｂが、鍔部５３の外周面の連通溝５３ａを有する側に形成され、且つ、前記凹部５３ｂが、前記連通溝５３ａを有しない側の鍔部５３外周面には形成されないことにより、鍔部５３の外周面に軸筒２内面との適正な嵌合部分を残し、一層、鍔部５３の適正な縮径変形が可能となり、インキ保溜部材５を軸筒２に装着した際に連通溝５３ａの溝幅を一層確実に小さく変形させることができる。
【００１４】
本願の第４の発明は、前記第１、第２または第３の発明の直液式筆記具１において、前記凹部の径方向の深さが、前記インキ保溜溝５２ａの径方向の深さと略等しいことを要件とする。
【００１５】
前記第４の発明の直液式筆記具１は、前記凹部５３ｂの径方向の深さが、前記インキ保溜溝５２ａの径方向の深さと略等しいこと（即ち、凹部５３ｂの径方向の最深部の位置と、インキ保溜溝５２ａの径方向の最深部の位置が略等しいこと）により、より一層、連通溝５３ａの内面におけるヒケの発生を抑えることができる。
【発明の効果】
【００１６】
本発明の直液式筆記具は、連通溝の内面にヒケが発生することを抑えるとともに、インキ保溜部材を軸筒に装着した際に連通溝の溝幅を確実に小さく変形させることができる。
【図面の簡単な説明】
【００１７】
【図１】本発明の実施の形態の直液式筆記具の縦断面図である。
【図２】図１のＡ−Ａ線断面図である。
【図３】図１のＢ−Ｂ線断面図である。
【図４】図１のＣ−Ｃ線矢視断面図である。
【図５】図１のインキ保溜部材を正面から見た状態を示す要部縦断面図である。
【図６】図１のインキ保溜部材をインキ誘導溝側から見た状態を示す要部縦断面図である。
【図７】図１のインキ保溜部材の後端部を示す斜視図である。
【発明を実施するための形態】
【００１８】
図１乃至図７に本発明の実施の形態を示す。
本実施の形態の直液式筆記具１は、ペン先３と、該ペン先３を前端部に備えたインキ保溜部材５と、該インキ保溜部材５を前部内部に設けた軸筒２と、該軸筒２の後部内部に設けたインキタンク４と、を有する。
【００１９】
前記ペン先３は、例えば、前端に回転可能なボールを備えたボールペンチップ、繊維加工体または多孔質体よりなるペン体、万年筆のような前端にスリットを備えた金属板製ペン体、軸方向の毛細間隙を備えた合成樹脂押出成形体よりなるペン体等が挙げられる。
【００２０】
前記軸筒２の前部には、インキ保溜部材５が収容されるインキ保溜部材５収容部２１が形成される。前記インキ保溜部材収容部２１は前方に開口される。前記インキ保溜部材収容部２１との後方の軸筒２内壁には、縮径筒部２２が一体に形成される。前記縮径筒部２２の外周面には、インキタンク４の前端開口部内周面が着脱自在に取り付けられる。前記縮径筒部２２の内周面には、インキ保溜部材５の小径筒部５４が挿入される。前記インキタンク４は、前端が開口され他端が閉鎖された有底筒体からなる。前記インキタンク４内には、直にインキが収容される。
【００２１】
前記インキ保溜部材５は、前端部のペン先保持部５１と、該ペン先保持部５１より後方に配置される多数の円板状の櫛歯５２と、該櫛歯群より配置される円板状の鍔部５３と、該鍔部５３より後方に延設される小径筒部５４と、軸心部に形成される軸方向に延びる軸心孔５５と、該軸心孔５５に挿着されるインキ誘導部材５６とを備える。
【００２２】
前記多数の櫛歯５２は、適宜間隔に並設して配設され、前記櫛歯５２の相互間にインキ保溜溝５２ａが形成される。前記多数の櫛歯５２の各々には、軸方向に延び且つ径方向外方に開口するスリット状のインキ誘導溝５２ｂが形成される。前記インキ誘導溝５２ｂが前記インキ保溜溝５２ａと接続される。前記多数の櫛歯５２の各々には、該インキ誘導溝５２ｂから軸心対称位置に空気交替凹溝５２ｃが形成される。
【００２３】
前記鍔部５３には、軸方向に延び且つ径方向外方に開口するスリット状の連通溝５３ａが貫設される。前記連通溝５３ａが、前記インキ保溜溝５２ａと接続され且つインキタンク４側に開口される。尚、前記連通溝５３ａは、軸心孔５５に非連通である。
【００２４】
前記小径筒部５４には、軸方向に延び且つ径方向外方に開口するスリット状のガイド溝５４ａが形成される。前記ガイド溝５４ａは、前端が連通溝５３ａと接続され、後端がインキタンク４側に開口される。
【００２５】
前記鍔部５３の外周面の前部には、径方向外方に開口する凹部５３ｂが形成される。前記凹部５３ｂは、前記連通溝５３ａ及び前記インキタンク４に非連通である。また、前記凹部５３ｂは、前記鍔部５３の外周面の連通溝５３ａを挟む両側の位置に配置される。
【００２６】
前記鍔部５３と櫛歯群の後端に位置する後端櫛歯５２１とは、連通溝５３ａ近傍において連結壁部５３ｃにより連結され、凹部５３ｂが連通溝５３ａに連通しないよう構成される。前記凹部５３ｂは、後端櫛歯５２１と鍔部５３との非連結部５３ｄ（隙間）を通して、インキ保溜部材５のインキ保溜溝５２ａを有する軸筒２の前部空間に連通される。
【００２７】
前記凹部５３ｂは、連通溝５３ａを有しない側の鍔部５３外周面の半周部分には形成されず、鍔部５３の外周面の連通溝５３ａを有する側の鍔部５３外周面の半周部分に形成される。前記凹部５３ｂの横断面形状は、中心角が９０度の扇形状に形成される。また、前記凹部５３ｂの横断面形状は、インキ保溜部材５の軸心近傍において、軸心孔５５を包囲するよう、軸心を中心とする円形状の一部とを構成する。前記凹部５３ｂの径方向の深さは、前記インキ保溜溝５２ａの径方向の深さと略等しく設けられる。即ち、前記凹部５３ｂの径方向の最深部の位置と前記インキ保溜溝５２ａの径方向の最深部の位置とが略等しく設けられる。それにより、一層、連通溝５３ａの内面におけるヒケの発生を抑えることができる。
【００２８】
前記インキ保溜部材５の軸心孔５５には、軸方向の毛細間隙を備えたインキ誘導部材５６が挿着される。前記インキ誘導部材５６は、例えば、合成樹脂の押出成形体、繊維加工体または多孔質体からなる。前記インキ誘導部材５６がインキタンク４内とペン先３との間を接続する。前記インキ誘導部材５６は、単一の部材からなる構成、または、複数の部材からなる構成の何れでもよい。
【００２９】
前記インキ保溜部材５を軸筒２の前端開口部に装着すると、鍔部５３の外周面が軸筒２前部内周面と嵌合し、櫛歯群は、軸筒２内壁とは非嵌合状態が維持される。鍔部５３の外周面と軸筒２前部内周面との嵌合により、鍔部５３が径方向内方に縮径変形する。それに伴い、連通溝５３ａの溝幅がインキ誘導溝５２ｂの溝幅より小に形成される。
【００３０】
また、前記インキ保溜部材５の小径筒部５４の外周面は、軸筒２の縮径筒部２２の内周面とは、弱く嵌合されるか、あるいは、非接触状態に維持される。そのため、小径筒部５４は、鍔部５３よりは縮径変形量は小さいか、あるいは、縮径変形しない。前記ガイド溝５４ａの溝幅は、前記連通溝５３ａの溝幅より大きく形成される。尚、インキ保溜部材５を軸筒２前部に装着する前において、予め、前記連通溝５３ａの溝幅（径方向外端部の溝幅）は、前記インキ誘導溝５２ｂ及びガイド溝５４ａと略等しく設けられている。
【００３１】
即ち、前記連通溝５３ａの溝幅は、インキ誘導溝５２ｂの溝幅より小さく形成され且つガイド溝５４ａの溝幅より小さく形成される。前記インキ誘導溝５２ｂの溝幅とガイド溝５４ａの溝幅は、略同一に形成される。それにより、連通溝５３ａの毛細管力がインキ誘導溝５２ｂの毛細管力よりも強く設定され、且つ、連通溝５３ａの毛細管力がガイド溝５４ａの毛細管力よりも強く設定される。
【００３２】
本実施の形態の直液式筆記具１は、鍔部５３の外周面に、径方向外方に開口する凹部５３ｂを形成し、前記凹部５３ｂが、前記連通溝５３ａ及び前記インキタンク４に非連通であり、且つ、前記凹部５３ｂが、前記鍔部５３の外周面の連通溝５３ａを挟む両側の位置に配置されることにより、連通溝５３ａの内面にヒケが発生することを抑えるとともに、インキ保溜部材５を軸筒２に装着した際に連通溝５３ａの溝幅を確実に小さく変形させることができる。
【００３３】
本実施の形態の直液式筆記具１は、前記凹部５３ｂを鍔部５３の外周面の前部に設け、前記凹部５３ｂがインキ保溜部材５のインキ保溜溝５２ａを有する軸筒２前部空間に連通してなることにより、一層、連通溝５３ａの内面にヒケが発生することを抑止できる。
【００３４】
本実施の形態の直液式筆記具１は、前記凹部５３ｂが、鍔部５３の外周面の連通溝５３ａを有する側に形成され、且つ、前記凹部５３ｂが、前記連通溝５３ａを有しない側の鍔部５３外周面には形成されないことにより、鍔部５３の外周面に軸筒２内面との適正な嵌合部分を残し、一層、鍔部５３の適正な縮径変形が可能となり、インキ保溜部材５を軸筒２に装着した際に連通溝５３ａの溝幅を一層確実に小さく変形させることができる。
【００３５】
本実施の形態の直液式筆記具１は、前記凹部５３ｂの径方向の深さが、前記インキ保溜溝５２ａの径方向の深さと略等しいこと（即ち、凹部５３ｂの径方向の最深部の位置と、インキ保溜溝５２ａの径方向の最深部の位置が略等しいこと）により、より一層、連通溝５３ａの内面におけるヒケの発生を抑えることができる。
【符号の説明】
【００３６】
１  直液式筆記具
２  軸筒
２１  インキ保溜部材収容部（軸筒前部空間）
２２  縮径筒部
３  ペン先
４  インキタンク
５  インキ保溜部材
５１  ペン先保持部
５２  櫛歯
５２１  後端櫛歯
５２ａ  インキ保溜溝
５２ｂ  インキ誘導溝
５２ｃ  空気交替凹溝
５３  鍔部
５３ａ  連通溝
５３ｂ  凹部
５３ｃ  連結壁部
５３ｄ  非連結部（隙間）
５４  小径筒部
５４ａ  ガイド溝
５５  軸心孔
５６  インキ誘導部材
【図１】
0005961009.tif 000002
【図２】
0005961009.tif 000003
【図３】
0005961009.tif 000004
【図４】
0005961009.tif 000005
【図５】
0005961009.tif 000006
【図６】
0005961009.tif 000007
【図７】
0005961009.tif 000008